(57)【要約】【課題】輸送時に一時的に作用する荷重に対抗可能なパネルの輸送治具及びパネルの輸送方法を提供する。【解決手段】略平行に間隔を置いて配置される床小梁１２Ａ，１２，・・・，１２Ｂの上面に床板１１，１１，１１Ａが張り付けられた床パネル１の輸送治具２０，２０である。  この床パネルは、床小梁の両端が開口１２１，１２１された構成となっている。そして、床小梁の両端において床小梁の軸直交方向に差し渡される輸送梁２と、輸送梁の側面部２１に取り付けられて複数の床小梁の開口に挿し込まれる支持金具３，・・・とを備えている。  ここで、輸送梁の端部は、固定金具４及び蓋板部５を介して床小梁の端部にそれぞれ接合される。【選択図】図１
2018009365.tif 000002
【特許請求の範囲】
【請求項１】
略平行に間隔を置いて配置される小梁の上面に板材が張り付けられたパネルの輸送治具であって、
前記パネルは、前記小梁の両端が開口された構成となっており、
前記小梁の両端において前記小梁の軸直交方向に差し渡される輸送梁と、
前記輸送梁の側面に取り付けられて複数の前記小梁の開口に挿し込まれる支持金具とを備えたことを特徴とするパネルの輸送治具。
【請求項２】
前記輸送梁の少なくとも一方の端部は、固定金具を介して前記小梁の端部に接合されることを特徴とする請求項１に記載のパネルの輸送治具。
【請求項３】
前記支持金具は、上面が庇状に張り出されたＬ形金具であることを特徴とする請求項１又は２に記載のパネルの輸送治具。
【請求項４】
請求項１乃至３のいずれか一項に記載のパネルの輸送治具を使用したパネルの輸送方法であって、
前記小梁の開口に対して前記輸送梁の側面に取り付けられた前記支持金具をそれぞれ挿し込むことで、前記パネルの両側縁にそれぞれ前記輸送治具を取り付ける工程と、
前記輸送治具が取り付けられたパネルを目的地まで輸送する工程と、
前記目的地において、前記輸送梁にワイヤを連結して前記パネルを吊り上げ、所定の位置に前記パネルを設置する工程と、
前記パネルの設置後に、前記輸送治具を取り外す工程とを備えたことを特徴とするパネルの輸送方法。
【発明の詳細な説明】
【技術分野】
【０００１】
本発明は、床パネルや屋根パネルなどのパネルを輸送する際に使用されるパネルの輸送治具、及びそれを使用したパネルの輸送方法に関するものである。
【背景技術】
【０００２】
工場で製作された床パネルや屋根パネルなどのパネルを建築現場まで輸送して、クレーンで吊り上げて所定の位置に設置することで建物が構築される工法が知られている（特許文献１，２参照）。
【０００３】
通常の床パネルは、周縁が枠材で囲まれた剛性の高い構造となっており、吊り上げの際に作用するねじれなどによる荷重に対しても、耐えられる構造となっている。
【０００４】
また、特許文献１には、クレーンのフックを掛ける吊りボルトを取り付けるための金具が固定される床パネルの隅角部が、つなぎ材によって補強された構造が開示されている。
【０００５】
さらに、特許文献２には、建築用パネルの側端面に設けられた係合穴に対して、ワンタッチで取り付けが行える吊り上げ用治具が開示されている。この吊り上げ用治具を使用することで、建築用パネルの側端面にくさびを打ち込む必要がなくなる。
【先行技術文献】
【特許文献】
【０００６】
【特許文献１】特開２０００−２９７４７５号公報
【特許文献２】特開２００２−３３９５６９号公報
【発明の概要】
【発明が解決しようとする課題】
【０００７】
しかしながら、吊り上げ時に作用する荷重は一時的な荷重であり、その荷重に合わせて補強を行うと、建物への設置後には過剰な剛性となる場合がある。また、隣接する構造体に接合させる場合などには、パネルの全周が枠材によって囲まれていなくてもよいこともある。
【０００８】
そこで、本発明は、輸送時に一時的に作用する荷重に対抗可能なパネルの輸送治具及びパネルの輸送方法を提供することを目的としている。
【課題を解決するための手段】
【０００９】
前記目的を達成するために、本発明のパネルの輸送治具は、略平行に間隔を置いて配置される小梁の上面に板材が張り付けられたパネルの輸送治具であって、前記パネルは、前記小梁の両端が開口された構成となっており、前記小梁の両端において前記小梁の軸直交方向に差し渡される輸送梁と、前記輸送梁の側面に取り付けられて複数の前記小梁の開口に挿し込まれる支持金具とを備えたことを特徴とする。
【００１０】
ここで、前記輸送梁の少なくとも一方の端部は、固定金具を介して前記小梁の端部に接合される構成とすることができる。また、前記支持金具は、上面が庇状に張り出されたＬ形金具である構成とすることができる。
【００１１】
そして、パネルの輸送方法の発明は、上記いずれかのパネルの輸送治具を使用したパネルの輸送方法であって、前記小梁の開口に対して前記輸送梁の側面に取り付けられた前記支持金具をそれぞれ挿し込むことで、前記パネルの両側縁にそれぞれ前記輸送治具を取り付ける工程と、前記輸送治具が取り付けられたパネルを目的地まで輸送する工程と、前記目的地において、前記輸送梁にワイヤを連結して前記パネルを吊り上げ、所定の位置に前記パネルを設置する工程と、前記パネルの設置後に、前記輸送治具を取り外す工程とを備えたことを特徴とする。
【発明の効果】
【００１２】
このように構成された本発明のパネルの輸送治具は、輸送対象となるパネルが、略平行に間隔を置いて配置される小梁の上面に板材が張り付けられたパネルであって、小梁の両端が開口された構成となっている。換言すると、小梁に対して略直交方向に向けられた側縁に配置される枠材が存在しないパネルが輸送対象となる。
【００１３】
このようなパネルは、側縁の全周が枠材によって囲まれたものと比べて剛性が低くなるが、本発明のパネルの輸送治具では、輸送梁が小梁に対して略直交方向に向けられた側縁に配置される枠材として機能する。
【００１４】
このため、輸送時に一時的に作用する荷重に対抗させることができる。また、この輸送治具は、パネルを所定の位置に設置した後には、回収して再利用することができるので、経済的である。
【００１５】
さらに、輸送梁の少なくとも一方の端部が、固定金具を介して小梁の端部に接合される構成であれば、輸送治具が意図せぬタイミングで外れることを確実に防ぐことができる。
【００１６】
また、支持金具の上面が庇状に張り出されていれば、小梁の開口に挿しこまれた庇状の部分でパネルの荷重を支持させることができるうえに、接合作業を必要としないため、取り付け及び取り外しを簡単に行うことが可能になる。
【００１７】
そして、本発明のパネルの輸送方法であれば、パネルを輸送時に一時的に補強して、パネル設置後には輸送治具を回収することで、パネルの部材点数や組み立て工数を減らすことができる。
【図面の簡単な説明】
【００１８】
【図１】本実施の形態のパネルの輸送治具を床パネルに取り付ける工程を説明する斜視図である。
【図２】床パネルの製造工程を説明する斜視図である。
【図３】輸送治具の支持金具周辺の構成を拡大して説明する斜視図である。
【図４Ａ】輸送梁の一方に端部を接合させる固定金具の構成を説明するための説明図である。
【図４Ｂ】輸送梁の他方に端部を接合させる固定金具の構成を説明するための説明図である。
【図５】床パネル設置後に輸送治具を取り外す工程を説明する斜視図である。
【図６】床パネルを下階ユニットに固定する工程を説明する斜視図である。
【発明を実施するための形態】
【００１９】
以下、本発明の実施の形態について図面を参照して説明する。図１は、本実施の形態のパネルの輸送治具２０を、パネルとなる床パネル１に取り付ける工程を説明する斜視図である。
【００２０】
本実施の形態の輸送治具２０によって輸送されるパネルは、床面を形成する床パネル１、屋根ふき材の下地又は屋根面を形成する屋根パネルなどの建築用のパネルである。
【００２１】
例えば床パネル１は、平面視略長方形に形成され、床の下地面や床の仕上げ面などの床面を形成するために配置される。床パネル１は、図２に示すように、略平行に間隔を置いて配置される小梁としての床小梁１２Ａ，１２，・・・，１２Ｂと、それらの上面に張り付けられる板材である床板１１，１１，１１Ａとによって、主に構成される。
【００２２】
ここで、床パネル１の両側の側縁部を形成する小梁を床小梁１２Ａ，１２Ｂとし、床小梁１２Ａ，１２Ｂ間に配置される小梁を床小梁１２，・・・とする。以下では、共通する構成ついては、床小梁１２の符号を使って説明する。
【００２３】
床小梁１２は、例えば断面視略長方形の中空状の角形鋼管によって形成される。そして、床小梁１２の両端は、開口１２１，１２１となる。一つの床パネル１に使用される床小梁１２，・・・の本数及び間隔は、任意に設定することができる。
【００２４】
一方、床板１１，１１Ａは、１対又は３本以上の床小梁１２，１２間に架け渡される平面視略長方形の板材である。床板１１，１１Ａは、硬質木片セメント板、合板などによって、長さは床小梁１２と略同じ長さ、幅は両側の縁部がいずれかの床小梁１２，１２Ａ，１２Ｂの上に載る長さに成形される。
【００２５】
また、床板１１，１１Ａの下面側には、床小梁１２，１２の間隔以下の長さの木桟１１１，１１１Ａを取り付けることができる。例えば、図２に示した右端の床板１１Ａの長手方向の縁部には、床小梁１２，１２の間隔程度の長さの木桟１１１が床小梁１２の軸直交方向に向けて取り付けられる。
【００２６】
さらに、木桟１１１の端部から床小梁１２の幅分だけ開けて、床小梁１２，１２Ｂの間隔程度の長さの木桟１１１Ａが、床小梁１２の軸直交方向に向けて取り付けられる。要するに、木桟１１１は床小梁１２，１２間に収容され、木桟１１１Ａは床小梁１２，１２Ｂ間に収容されることになる。
【００２７】
そして、床小梁１２Ａ，１２Ｂ，１２，・・・の上面には接着剤１３が塗布され、その上に載せられる床板１１，１１，１１Ａと接着される。また、床板１１，１１，１１Ａの上方から床小梁１２Ａ，１２Ｂ，１２，・・・の上面に向けては、ドリルネジ１１２，・・・がねじ込まれる。
【００２８】
このようにして製作された床パネル１は、床小梁１２Ａ，１２，・・・，１２Ｂと床板１１，１１，１１Ａとが一体になっているが、床小梁１２の軸直交方向に向いた床梁などの枠材が配置されておらず、剛性は４辺の全周が枠材で囲まれたパネルに比べて低い。特に、床小梁１２の軸直交方向の曲げに対して弱くなっている。
【００２９】
そこで、輸送時には、輸送治具２０が取り付けられる。この輸送治具２０は、図１に示すように、床小梁１２，・・・の両端において床小梁１２の軸直交方向に向けて差し渡される輸送梁２と、輸送梁２の側面が形成される側面部２１に取り付けられて床小梁１２の開口１２１に挿し込まれる支持金具３と、輸送梁２の端部を床小梁１２の端部に接合させる固定金具（４，５）とによって主に構成される。
【００３０】
輸送梁２は、図３に示すように、平板状の側面部２１と、側面部２１の上縁から張り出される断面視略Ｌ字形の上面部２２と、側面部２１の下縁から張り出される断面視略Ｌ字形の下面部２３とによって、断面視略Ｃ字形に形成される。この輸送梁２には、Ｃ形鋼（リップ付き溝形鋼）などが使用できる。
【００３１】
輸送梁２の長さは、床パネル１の両側縁を形成する床小梁１２Ａ，１２Ｂ間の間隔とほぼ等しくなる。この輸送梁２は、開放側が床小梁１２と反対側に向けられ、側面部２１の外側面を床小梁１２に対向させる。
【００３２】
支持金具３は、この側面部２１の外側面に取り付けられる。支持金具３は、庇状に張り出されて支持面が形成される庇部３ａと、側面部２１の外側面に接触させる垂下部３ｂとを有するＬ形金具である。
【００３３】
支持金具３の庇部３ａは、輸送梁２の上面部２２とほぼ同じ高さに配置され、上面を形成する。側面部２１の外側面に沿って配置される垂下部３ｂは、ボルト３１によって側面部２１に固定される。
【００３４】
詳細には図１に示すように、ボルト３１は床小梁１２側から支持金具３に向けて挿し込まれ、輸送梁２の開放側に突出したボルト３１の先端にナット３２が装着される。
【００３５】
複数の支持金具３，・・・は、床小梁１２，・・・の開口１２１，・・・の位置に合わせて、輸送梁２の側面部２１にそれぞれ取り付けられる。そして、輸送梁２の床小梁１２Ａ側の端部には、固定金具４が取り付けられる。
【００３６】
固定金具４は、図４Ａに示すように、輸送梁２の側面部２１に接触させる取付片４ａと、その取付片４ａの内側の側縁から床小梁１２Ａに向けて張り出される突出片４ｂとによって、平面視略Ｌ字形に形成される。
【００３７】
この固定金具４は、ボルト４１とナット４１ａとによって側面部２１に接合される。突出片４ｂは、床小梁１２Ａの外側面となる縁部１２２に、外側から接触させる。
【００３８】
そして、ボルト４２が外側から突出片４ｂに向けて挿し込まれ、床小梁１２Ａの内空側に突出したボルト４２の先端には、ナット４２ａが装着される。このようにして、固定金具４は床小梁１２Ａの端部に接合される。
【００３９】
一方、輸送梁２の床小梁１２Ｂ側の端部に取り付けられる固定金具となる蓋板部５は、図４Ｂに示すように、床小梁１２Ｂの開口１２１を塞ぐように端部に接合される。
【００４０】
この蓋板部５の床小梁１２Ｂの内空側の面には、固着ナット５１が接合されており、輸送梁２の開放側から側面部２１に向けて挿し込まれるボルト５２の先端は、固着ナット５１にねじ込まれる。
【００４１】
このようにして固定金具４及び蓋板部５を介して輸送梁２の両端部は床パネル１に固定され、支持金具３，・・・は床小梁１２，・・・の開口１２１，・・・に挿し込まれただけの状態になる。
【００４２】
また、一方の床小梁１２Ａに対しては固定金具４による接合とし、他方の床小梁１２Ｂに対しては蓋板部５による接合とすることで、床パネル１の製作時の精度誤差の吸収が可能となる。
【００４３】
次に、本実施の形態のパネルの輸送治具２０を使用した床パネル１の輸送方法について説明する。
【００４４】
まず工場において、図２に示すように、床小梁１２Ａ，１２，・・・，１２Ｂを定められた間隔で平行に並べ、それぞれの上面に接着剤１３を塗布する。そして、必要に応じて木桟１１１，１１１Ａが取り付けられた床板１１，１１，１１Ａを、床小梁１２Ａ，１２，・・・，１２Ｂ上に設置する。
【００４５】
床板１１，１１，１１Ａの周縁及び床小梁１２Ａ，１２，・・・，１２Ｂと重なる位置には、ドリルネジ１１２，・・・がねじ込まれる。なお、床小梁１２Ｂの両端の開口１２１，１２１は、この時点で蓋板部５，５によって塞がれている。
【００４６】
続いて図１に示すように、床パネル１の両側縁に対して輸送治具２０，２０の取り付けを行う。輸送梁２の側面部２１には、床小梁１２，・・・の開口１２１，・・・の位置に合わせて、支持金具３，・・・がボルト３１とナット３２によって固定される。
【００４７】
また、輸送梁２の床小梁１２Ａに対峙させる端部には、固定金具４がボルト４１とナット４１ａによって固定される。このようにして組み立てられた輸送治具２０を、床小梁１２の軸直交方向に向けて、床小梁１２の開口１２１に支持金具３側を対峙させる。
【００４８】
そして、輸送治具２０の支持金具３，・・・を、それぞれ床小梁１２，・・・の開口１２１，・・・に挿し込む。また、蓋板部５に対しては、輸送梁２の開放側からボルト５２をねじ込むことで、輸送治具２０の一方の端部を床小梁１２Ｂに固定する。
【００４９】
さらに、床小梁１２Ａの縁部１２２に突出片４ｂを接触させた固定金具４を、ボルト４２とナット４２ａによって床小梁１２Ａに接合させることで、輸送治具２０の他方の端部を床小梁１２Ａに固定する。
【００５０】
床小梁１２Ｂに対して蓋板部５を介した接合とすることで、輸送梁２を強固に取り付けることができる。また、床小梁１２Ａに対しては固定金具４を介した接合とすることで、床パネル１の製作誤差を吸収させて輸送梁２を取り付けることができる。
【００５１】
さらに、輸送梁２の上面部２２の長穴２４（図４Ａ参照）などに、図５に示すように吊りボルト２５を取り付ける。両側縁が輸送治具２０，２０によって補強された床パネル１は、輸送時に一時的に作用する荷重に耐え得る構造となっている。
【００５２】
例えば吊りボルト２５，２５にフックを掛けて床パネル１を吊り上げると、設置時には作用しないねじれなどの荷重が床パネル１に生じることがあるが、輸送治具２０，２０を取り付けておくことによって、床パネル１の吊り上げ時のたわみを減らして、変形や損傷を防ぐことができる。
【００５３】
輸送治具２０，２０が取り付けられた床パネル１は、工場からトラックに積載されて目的地となる建築現場まで輸送される。そして、建築現場においては、輸送梁２，２の両端付近に取り付けられた吊りボルト２５，・・・にフックが掛けられ、クレーンで吊り上げられる。
【００５４】
図５には、床パネル１が設置される所定の位置となる下階ユニット６を例示した。この下階ユニット６は、四隅に配置される柱材６１，・・・、その柱材６１，・・・の上端間に架け渡される梁材６２Ａ，６２Ｂなどによって骨組構造が形成されている。
【００５５】
クレーンで吊り上げられた床パネル１は、大きなたわみが生じることなく空中を移動して、下階ユニット６の上面に設置される。床パネル１が安定した状態で設置されていることを確認した後に、輸送治具２０，２０が取り外される。
【００５６】
輸送治具２０は、図４Ａに示すように、ナット４２ａを緩めてボルト４２を外すことで、固定金具４を介した接合を解除させることができる。また、図４Ｂに示すように、ボルト５２を緩めて外すことで、蓋板部５を介した接合を解除させることができる。
【００５７】
そして、輸送治具２０，２０を取り外した後に、図６に示すように、それぞれの床小梁１２，・・・を固定ボルトセット１４，・・・を使って、隣接する構造体である梁材６２Ｂ，６２Ｂに接合させる。このように床小梁１２，・・・が、その軸直交方向に向けられた梁材６２Ｂ，６２Ｂに固定されると、床パネル１は四方が枠材によって囲まれたものと同等の剛性を備えることになる。
【００５８】
次に、本実施の形態のパネルの輸送治具２０、及びそれを使用した床パネル１の輸送方法の作用について説明する。
【００５９】
このように構成された本実施の形態のパネルの輸送治具２０は、輸送対象となる床パネル１が、略平行に間隔を置いて配置される床小梁１２Ａ，１２，・・・，１２Ｂの上面に床板１１，１１，１１Ａが張り付けられたパネルである。
【００６０】
そして、床小梁１２の両端は、梁材などで塞がれておらず、開口１２１，１２１されたままの状態となっている。換言すると、床小梁１２に対して略直交方向に向けられた側縁に配置される枠材が存在しない簡素な構成の床パネル１が輸送対象となる。
【００６１】
このような床パネル１は、側縁の全周が枠材によって囲まれたものと比べて剛性が低くなっているが、本実施の形態のパネルの輸送治具２０，２０を取り付けることによって、床小梁１２に対して略直交方向に向けられた枠材が側縁に配置された剛性の高いパネルとなる。
【００６２】
このため、輸送時に一時的に作用するねじれなどの荷重に対抗させることができる。また、この輸送治具２０は、床パネル１を所定の位置に設置した後には、回収して再利用することができるので、経済的である。
【００６３】
さらに輸送梁２の端部が、固定金具４や蓋板部５を介して床小梁１２Ａ，１２Ｂの端部に接合される構成であれば、輸送治具２０が意図せぬタイミングで外れることを確実に防ぐことができる。
【００６４】
また、支持金具３の上面が庇状に張り出されて支持面が形成された庇部３ａであれば、床小梁１２，・・・の開口１２１，・・・にそれぞれ挿しこまれた庇部３ａ，・・・で、パネルの荷重を分散支持させることができる。
【００６５】
また、開口１２１，・・・に挿し込むだけで接合作業を必要としない支持金具３，・・・は、数が多くなっても取り付け及び取り外しを簡単に行うことができるため、施工性に優れている。
【００６６】
さらに、床パネル１を輸送時に一時的に補強して、床パネル１を所定の位置に設置後に輸送治具２０，２０を回収して再利用するのであれば、床パネル１の部材点数や組み立て工数を減らすことができる。
【００６７】
以上、図面を参照して、本発明の実施の形態を詳述してきたが、具体的な構成は、この実施の形態に限らず、本発明の要旨を逸脱しない程度の設計的変更は、本発明に含まれる。
【００６８】
例えば、前記実施の形態では、床パネル１をパネルの例に説明したが、これに限定されるものではない。例えば、屋根パネルなどの建築用パネルや様々なパネルに対して本実施の形態のパネルの輸送治具を適用することができる。
【００６９】
また、前記実施の形態では、床パネル１を製作した後に輸送治具２０，２０を取り付ける方法について説明したが、これに限定されるものではない。例えば、輸送梁２に先に支持金具３，・・・を取り付けておき、支持金具３，・・・の位置に合わせて床小梁１２，・・・を配置して床パネル１を製作する方法であれば、床小梁１２，・・・の位置合せが容易に行えるようになる。
【００７０】
さらに、前記実施の形態では、輸送梁２の端部は固定金具４と蓋板部５を介して床パネル１と接合させたが、これに限定されるものではなく、輸送治具２０に取り付けられる全ての金具が、支持金具３のように床小梁１２の開口１２１に挿し込むだけの構成であってもよい。
【符号の説明】
【００７１】
１              床パネル（パネル）
１１，１１Ａ      床板（板材）
１２，１２Ａ，１２Ｂ  床小梁（小梁）
１２１          開口
２０            輸送治具
２              輸送梁
２１            側面部（側面）
３              支持金具
３ａ            庇部
４              固定金具
５              蓋板部（固定金具）
６              下階ユニット（所定の位置）
【図１】
2018009365.tif 000003
【図２】
2018009365.tif 000004
【図３】
2018009365.tif 000005
【図４Ａ】
2018009365.tif 000006
【図４Ｂ】
2018009365.tif 000007
【図５】
2018009365.tif 000008
【図６】
2018009365.tif 000009